(57)【特許請求の範囲】
【請求項１】
窓枠内に配置された少なくとも一対の障子と、これらの障子の間に配置されて当該障子同士を折り畳み可能に連結する連結框とを備えた折戸であって、
前記連結框には、当該連結框とは別体のピース状に形成され、かつ折り畳まれた前記障子の谷折り側の面に当接して当該障子の折れ量を規制する振れ止め部材が設けられている折戸。
【請求項２】
前記振れ止め部材の見付け方向の両側には、折り畳まれた前記一対の障子の谷折り側の面に当接する当接面がそれぞれ設けられている請求項１に記載の折戸。
【請求項３】
前記振れ止め部材は、前記両側の当接面が設けられた部材本体と、この部材本体から突出して前記連結框に固定される固定部とを含んで構成され、前記部材本体の各当接面は、加わる外力が同一軸線状で、かつ互いに反対方向に作用するように設けられている請求項２に記載の折戸。
【請求項４】
前記連結框の前記谷折り側には長手方向に沿った係止片が設けられ、この係止片には前記連結框と前記障子とを連結する継手部材の上下両側に位置した前記振れ止め部材が固定されるとともに、前記継手部材の露出を防止するカバーが嵌合され、上下の前記振れ止め部材には前記カバーの上下両端が係止される係止部が設けられている請求項１ないし請求項３のいずれかに記載の折戸。
【発明の詳細な説明】
【０００１】
【発明の属する技術分野】
本発明は、折戸に係り、例えば、室内外を連通させるための大きな開口部に設けられる折戸に関する。
【０００２】
【背景技術】
近年、建物の室外にテラスやバルコニ（デッキ）などを備えた外部空間を設け、この外部空間を利用してガーデニング等を楽しむことが盛んである。
この外部空間は建物内のリビングルームなどの居室空間と連通させることが多く、このために建物には大きな開口部が設けられ、開口部にはガラス障子を有するサッシ窓が取り付けられる。
【０００３】
サッシ窓としては、複数の障子を備えた引違い窓の場合の他、開口部の略全域を開放できるようにした大型の折戸を採用することもある。
折戸は通常、回動自在に連結された一対の障子を有しているが、上述のような大きな開口部用としては、これらの障子を複数組（例えば２組）備えているものもある。
【０００４】
そのような大きな開口部用の折戸では、例えば、折り畳まれる一対の障子を２組備えた外折れ式（折られた障子が室外側に突出する形式）でいえば、各組の障子同士が連結框を介して左右に連結されており、連結框の室内側の取付部には各障子の谷折り側に位置するようにハンドルが設けられ、このハンドルを回動させることで折戸のグレモン（クレモンという場合もある）錠等の施錠および解錠が行えるようになっている。
【０００５】
ところで、障子を折り畳むと、障子間の狭小空間（谷折り側の空間）に位置するハンドルの大きさや向きによっては、ハンドルと各障子とが衝突し、障子にはめ込まれたガラス面材等が破損するおそれがある。
そこで、ハンドルと障子との衝突を防止するための構造が要求されるが、この構造の一つとして、実用新案登録第２５７２３３５号公報に記載のものが知られている。
【０００６】
この公報記載の構造は、連結框と障子との継手部分を改良したものであって、押出形材からなる連結框側には、押出成形時に軸部が一体に設けられ、障子側の同じく押出形材からなる竪框には、押出成形時に前記軸部と同心を成して回動するガイド円が一体に設けられ、軸部と連結框の本体側とを連結する腕部にガイド円に設けられた当接部が当接する構造である。
この構造によれば、障子を折り畳むことでガイド円の当接部が回動し、所定量回動した後に当接部と連結框側の腕部とが当接し、よって障子の折れ量が規制されてハンドルと障子との衝突を防止できる。
【０００７】
【発明が解決しようとする課題】
しかしながら、前記公報記載の構造では、継手部分が障子の折れ量を規制する構造になっており、障子の回動中心に極近い位置で障子側の当接部が連結框側の腕部に当接するため、当接した際の衝撃力や、当接状態にある障子が風等に煽られことで加わる押圧力が、継手部分に及ぼす影響は極めて大きい。このため、障子を折り畳む際の勢いや風の強さなどによっては、腕部や当接部が変形して障子の折れ量を正確に規制することが困難になり、障子のガラス面材とハンドル等の他部品との衝突を確実に防止できない可能性がある。
【０００８】
また、継手部分を構成する連結框側の軸部および腕部、障子側のガイド円および当接部は、それぞれ押出成形時に一体に形成されているため、太陽光の直射等によって連結框や障子に熱反りが生じると、継手部分も熱反りによって変形する。つまり、この点でも、障子側の当接部と連結框側の腕部とが良好に当接しないことが考えられ、ガラス面材と他部品との衝突を確実に防止できない可能性がある。
【０００９】
しかも、ガイド円が軸部を同心として回動するため、前述の衝撃力や押圧力等の外力、あるいは熱反りで継手部分が変形すると、障子側のガイド円の回動が良好に行われず、障子をスムーズに折り畳むことができない可能性もある。
【００１０】
本発明の目的は、障子と他部品との衝突を確実に防止でき、かつ障子をスムーズに折り畳むことができる折戸を提供することにある。
【００１１】
【課題を解決するための手段】
本発明の折戸は、窓枠内に配置された少なくとも一対の障子と、これらの障子の間に配置されて当該障子同士を折り畳み可能に連結する連結框とを備えた折戸であって、前記連結框には、当該連結框とは別体のピース状に形成され、かつ折り畳まれた前記障子の谷折り側の面に当接して当該障子の折れ量を規制する振れ止め部材が設けられていることを特徴とする。
【００１２】
このような本発明においては、障子の折れ量を規制する振れ止め部材を連結框および障子の継手部分とは別体に設けるうえ、この振れ止め部材を各障子の谷折り側の面に当接させるので、当該継手部分としては継手本来の機能のみを有していればよく、当接時の衝撃力および風による押圧力が加わらない構造や、熱反りに影響されない構造が容易に実現可能である。
従って、継手部分に加わる外力および熱反りの排除により、継手部分が格段に変形しにくくなるから、障子の折れ量が正確に規制されて障子と他部品との衝突が確実に防止されるうえ、障子の折り畳みがスムーズになる。以上により、前記目的が達成される。
【００１３】
また、本発明の折戸では、前記振れ止め部材の見付け方向の両側に、折り畳まれた前記一対の障子の谷折り側の面に当接する当接面をそれぞれ設けることが望ましい。
このような構成では、一つの振れ止め部材にそれぞれの障子が当接するようになるから、振れ止め部材の個数が少なくてすみ、連結框への振れ止め部材の取付作業が容易になる。
【００１４】
さらに、この際、前記振れ止め部材を、前記両側の当接面が設けられた部材本体と、この部材本体から突出して前記連結框に固定される固定部とを含んで構成し、前記部材本体の各当接面を、加わる外力が同一軸線状で、かつ互いに反対方向に作用するように設けることが望ましい。
このような構成によれば、障子間に挟持される振れ止め部材では、両側からの障子の当接により加わる外力が同一軸線状で、かつ互いに反対方向に作用し、この外力が何ら固定部ひいては連結框側に影響しない。このため、障子を勢いよく折り畳んだり、折り畳まれた障子が突風で煽られた場合でも、連結框から振れ止め部材が外れる心配がなく、また、連結框が外力の影響で変形することもない。
【００１５】
そして、本発明の折戸では、前記連結框の前記谷折り側には長手方向に沿った係止片を設け、この係止片には前記連結框と前記障子とを連結する継手部材の上下両側に位置した前記振れ止め部材を固定するとともに、前記継手部材の露出防止用のカバーを嵌合し、上下の前記振れ止め部材には前記カバーの上下両端が係止される係止部を設けてもよい。
このような構成では、連結框と障子との連結を継手部材で連結するが、この継手部材はカバーによって覆われるため、見た目が損なわれるおそれがない。また、このカバーは連結框に固定された振れ止め部材の係止部で確実に係止されるので、連結框へのカバーの取付状態が良好に維持され、外れ防止に有効である。
【００１６】
【発明の実施の形態】
以下、本発明の一実施形態を図面に基づいて説明する。
図１は、本実施形態に係る折戸１を示す内観図、図２は、折戸１を示す縦断面図、図３は、折戸１が閉じられた状態を示す横断面図であって、図５（Ａ）での右端側を示す図、図４は、折戸１が開けられた状態を示す横断面図であって、図５（Ｂ）での右端側を示す図、図５（Ａ）、（Ｂ）は、折戸１が閉じた状態および一部開いた状態を模式的に示す平面図である。
【００１７】
折戸１は、建物の開口部に固定される窓枠１０と、この窓枠１０内に配置される４枚の障子２０と、障子２０の室内側に配置された網戸５０とを備えており、これらの障子２０のうちの隣接し合う障子２０Ａ，２０Ｂが連結框３０で連結され、中央の２枚の障子２０Ｂの対向部分には召合せ框４０が設けられている。そして、折戸１は障子２０Ａ，２０Ｂが室外側に突出するように折り畳まる外折れ式である。
【００１８】
窓枠１０は、上枠１１と、下枠１２と、左右の縦枠１３とを四周枠組みして構成されている。
上枠１１には、召合せ框４０の上部に取り付けられた摺動部材４１と嵌合する凹溝１４が設けられ、下枠１２には、召合せ框４０の下部に取り付けられた戸車４２が転動するガイドレール１５が設けられ、これによって召合せ框４０は窓枠１０内で見付け方向に移動することが可能になっている。
【００１９】
障子２０は、上框２１と、下框２２と、左右の竪框２３とを四周枠組みした内部に複層のガラス面材２４を配置して構成されている。
両側の障子２０Ａでは、一方の竪框２３がヒンジ６０を介して縦枠１３に回動自在に取り付けられ、他方の竪框２３がヒンジ６０を介して連結框３０に回動自在に取り付けられている。
中央の障子２０Ｂでは、一方の竪框２３がヒンジ６０を介して召合せ框４０に回動自在に取り付けられ、他方の竪框２３がヒンジ６０を介して連結框３０に回動自在に取り付けられている。
ヒンジ６０のうち、連結框３０と竪框２３とを連結する本発明に係る継手部材としてのヒンジ６０は、竪框２３側に固定される回動片のみを備えたタイプであり、連結框３０側には当該ヒンジ６０の軸材が挿通される円筒部が押出成形時に一体に形成されている。
【００２０】
以上のような構成によれば、折戸１を開けるにあたって障子２０Ａ，２０Ｂが折り畳まれる時には、障子２０Ａ，２０Ｂは縦枠１３、召合せ框４０、および連結框３０に対して同時に回動しながら室外側に突出するとともに、障子２０Ｂが召合せ框４０と共に障子２０Ａ側に寄せられ、この結果、連結框３０が窓枠１０から室外側に離間する。
【００２１】
ここで、窓枠１０の上枠１１、下枠１２、縦枠１３、障子２０の上框２１、下框２２、竪框２３は、図２で示す上枠１１を代表して説明すれば、アルミの押出形材からなる室内部材１１１と、同様にアルミの押出形材からなる室外部材１１２と、これらの室内外部材１１１，１１２を連結する樹脂製の断熱部材１１３とで構成された断熱アルミ形材製である。ただし、本発明の折戸は、このような断熱アルミ形材からなる枠や框を有する断熱サッシである必要はなく、一般的なアルミの押出形材のみからなる枠や框を使用したもの、さらには、樹脂製や木製の枠および框を使用したものであってもよい。
【００２２】
なお、連結框３０は通常のアルミの押出形材であるが、図３に示すように、折戸１が閉められた状態では、この連結框３０は両側の障子２０の竪框２３やこれに取り付けられたシール部材２３Ａ同士の密着によって外気から遮断されており、連結框３０に結露が生じにくくなっている。
また、連結框３０の室内側に設けられた二条の係止片３１には、上下に連続したアルミの押出形材からなるカバー３２がワンタッチ式で嵌め込まれており、このカバー３２で連結框３０およびヒンジ６０の室内側が覆われている。
【００２３】
このような折戸１において、連結框３０の室内側に設けられた取付部３３にはハンドル７０が取り付けられている。
ハンドル７０は、図１、図４に拡大して示すように、連結框３０の長手方向に沿った棒状である。このハンドル７０は、図示しない駆動機構を介して連結框３０内のグレモン錠に連結されており、グレモン錠の施解錠時に回動させることが可能に構成されている。また、ハンドル７０は、折戸１が閉じられている状態でいえば、先端が下方に向いた状態とされ、グレモン錠を解錠して開ける際には、図１に二点鎖線で示すように、先端を持ち上げるようにして、ほぼ水平に近い角度まで回動される。
【００２４】
以下には、本実施形態での最も特徴的な構成を説明する。
図１、図３、および図５において、連結框３０の上端側および下端側には、合成樹脂製のピース材からなる振れ止め部材８０が設けられている。
振れ止め部材８０は、連結框３０の両側の障子２０Ａ，２０Ｂが折り畳まれた時に、各障子２０Ａ，２０Ｂとハンドル７０とが衝突しないように当該障子２０Ａ，２０Ｂの折れ量を規制する部材である。
【００２５】
具体的には、上端側の振れ止め部材８０は、図６、図７に拡大して示すように、折り畳まれた障子２０Ａ，２０Ｂ（二点鎖線）の谷折り側の空間内に位置する部材本体８１と、部材本体８１から見込み方向の室外側に突出した固定部８２とで構成さている。
【００２６】
部材本体８１の見付け方向の両側には、見込み方向に沿った鉛直な端面からなる当接面８３が設けられ、これらの当接面８３には、障子２０Ａ，２０Ｂを構成する竪框２３の谷折り側の面が当接する。
固定部８２は、連結框３０の前記係止片３１間に嵌合されており、コ字形状の支持部材９０を介して連結框３０に固定されている。すなわち、この支持部材９０は、係止片３１間に配置されて横方向からのビス９１で固定され、固定部８２が支持部材９０の上面に載置されて上方からのビス８４で固定される。
【００２７】
また、部材本体８１と固定部８２との境界部分には、見付け方向に沿った溝状の係止部８５が設けられており、この係止部８５にはカバー３２の上端が嵌め込まれている。
なお、以上には、上端側の振れ止め部材８０および支持部材９０について説明したが、下端側の振れ止め部材８０および図示しない支持部材も同様であり、上端側の各部材を上下逆にすることでそのまま用いることが可能である。
【００２８】
このような振れ止め部材８０を用いる結果、障子２０Ａ，２０Ｂは、連結框３０に対して約９０°回動して折り畳まれ、その折れ量が規制される。
そして、このことにより、障子２０Ａ，２０Ｂが折り畳まれた状態では、風等によって障子２０Ａ，２０Ｂが煽られても、召合せ框４０が見付け方向の中央側に移動しない限り、障子２０Ａ，２０Ｂの折れ量が維持され、障子２０Ａ，２０Ｂの振れが確実に防止される。
【００２９】
そして、この際、部材本体８１の見込み方向に沿った鉛直な各当接面８３は、見込み方向に対して直行する方向である見付け方向に対向しているため、各当接面８３に加わる障子２０Ａ，２０Ｂ当接時の外力（図６中の矢印参照）は、当該当接面８３の対向方向（見付け方向）に沿った同一軸線状で、かつ互いに向き合う（反対方向）に作用し、このため、部材本体８１を単純に圧縮させる方向の外力以外は一切加わらない。
【００３０】
このような本実施形態によれば、以下のような効果がある。
(１)折戸１では、障子２０Ａ，２０Ｂの折れ量を規制する振れ止め部材８０が連結框３０および障子２０Ａ，２０Ｂを連結するヒンジ６０とは別体に設けられているので、障子２０Ａ，２０Ｂを折り畳んだ際の衝撃力や、障子２０Ａ，２０Ｂが風で煽られることで生じる押圧力は、継手部分を構成するヒンジ６０および縦框２３側の円筒部に加わることがなく、それらの継手部分の変形を有効に防止できる。
また、竪框２３の円筒部は、竪框２３の押出成形時に一体に形成されるが、この円筒部が挿入されるヒンジ６０の軸部は、連結框３０の押出成形時に一体に形成されたものではないから、このような軸部に相当する部分までが押出成形によって一体に形成された従来に比べれば、熱反り等の影響を受けにくくでき、この点からも継手部分の変形を防止できる。
以上により、障子２０Ａ，２０Ｂの振れ量を振れ止め部材８０で確実かつ正確に規制でき、障子２０Ａ，２０Ｂとハンドル７０等との衝突を防止できるとともに、障子２０Ａ，２０Ｂの折り畳みをスムーズに行うことができる。
【００３１】
(２)振れ止め部材８０の見付け方向の両側には、障子２０Ａ，２０Ｂと当接する当接面８３がそれぞれ設けられているので、障子２０Ａ用の振れ止め部材と障子２０Ｂ用の振れ止め部材とを個別に用意する必要がなく、部材点数を低減でき、また、その取付作業も容易にできる。
【００３２】
(３)振れ止め部材８０では、両側の当接面８３に障子２０Ａ，２０Ｂが当接した際の衝撃力は、部材本体８１を圧縮する方向にのみ作用して相殺され、見込み方向への分力が一切生じないので、障子２０Ａ，２０Ｂを誤って勢いよく折り畳んだ場合、あるいは突風によって障子２０Ａ，２０Ｂが大きく煽られた場合でも、その時に生じる衝撃力や押圧力で振れ止め部材８０の固定部８２が室内側に引っ張られたり、室外側に押圧される心配がなく、従って、連結框３０の本体部分の変形も防止できる。
【００３３】
(４)連結框３０の係止片３１にはカバー３２が嵌合し、このカバー３２によってヒンジ６０等の継手部分が覆われるから、この継ぎ手部分が室内側に露出することがなく、折戸１としての内観を良好にできる。
また、上下の振れ止め部材８０には、そのカバー３２の上下端が係止される係止部８５が設けられているので、係止片３１にワンタッチ式で嵌合されたカバー３２が容易に外れるのを防止でき、振れ止め部材８０に障子２０Ａ，２０Ｂが勢いよく当接した際にも、係止片３１とカバー３２との嵌合状態が良好に維持され、カバー３２が連結框３０から外れるのを有効に防止できる。
【００３４】
(５)折戸１のハンドル７０は、下方に向いた先端を持ち上げるようにして、ほぼ水平に近い角度まで回動させる構造であるから、いずれの回動位置でも障子２０Ａ，２０Ｂ側にはみ出すことがなく、障子２０Ａ，２０Ｂとハンドル７０との衝突をより確実に防止できる。
【００３５】
(６)また、ハンドル７０の太さに対し、振れ止め部材８０の幅が十分に大きいので、障子２０Ａ，２０Ｂを折り畳んだ状態では、障子２０Ａ，２０Ｂとハンドル７０との間に十分な隙間を形成できる。このため、振れ止め部材８０の当接面８３が何らかの理由によって変形あるいは欠損等し、障子２０Ａ，２０Ｂの回動角度が９０°を多少越えるような事態になっても、障子２０Ａ，２０Ｂが即座にハンドル７０と衝突する心配がない。
【００３６】
なお、本発明は、前記実施形態に限定されるものではない。
例えば、前記実施形態の振れ止め部材８０には、カバー３２の上下端が係止される溝状の係止部８５が設けられていたが、このような係止部８５は段差状に設けられていてもよい。また、このような係止部８５がない場合でも、本発明に含まれる。
そして、振れ止め部材８０は、障子２０Ａ，２０Ｂの両方が当接するように構成されていたが、本発明に係る振れ止め部材としては、障子２０Ａが当接する振れ止め部材と、障子２０Ｂが当接する振れ止め部材とを個別に設けてもよい。
【００３７】
また、振れ止め部材８０の当接面８３にゴムやスポンジ等のクッション材を貼設してもよく、こうすることにより、障子２０Ａ，２０Ｂの竪框２３が振れ止め部材８０に勢いよく当接した場合でも、竪框２３などの傷や変形を防止でき、さらには当接時の音も小さく抑えることができる。
その他、振れ止め部材の部材本体や固定部の具体的な形状等は、障子２０Ａ，２０Ｂの折れ量をどの程度に設定するかや、連結框３０側の被固定部分の形状等を勘案して任意に決められてよい。
振れ止め部材の材質も同様に任意であり、例えば、木材等であってもよい。
【００３８】
さらに、前記実施形態では、連結框３０の上下両側に振れ止め部材８０が取り付けられていたが、振れ止め部材の取付位置や取付個数も任意であり、その実施にあたって適宜変更可能である。
【００３９】
前期実施形態において、障子２０Ａ，２０Ｂと連結框３０とを連結するヒンジ６０は、回動片が一片だけのタイプであったが、回動片を二片有するヒンジを用いてもよい。
このようにすれば、連結框２３の円筒部を押出成形で一体に設ける必要がなく、熱反りの影響を一層受けにくくできる。
【００４０】
前記実施形態の折戸１は、一対の障子２０Ａ，２０Ｂを２組備えていたが、１組だけ備えた場合でもよく、３組以上設けた場合でも、本発明に含まれる。
【００４１】
前記実施形態の折戸１では、障子２０Ａ，２０Ｂが鉛直な回動軸で回動して折り畳まれる構造であったが、水平な回動軸で折り畳まれるように構成し、それらを上下方向に上げ下げする方向に折り畳む構造にしてもよい。そして、このような場合には、振れ止め部材は連結框３０の見付け方向の両側等に設けられる。
【００４２】
【発明の効果】
以上に述べたように、本発明の折戸によれば、障子と他部品との衝突を確実に防止でき、かつ障子をスムーズに折り畳むことができるという効果がある。
【図面の簡単な説明】
【図１】本発明の一実施形態に係る折戸を示す内観図である。
【図２】前記実施形態の折戸を示す縦断面図である。
【図３】前記実施形態の折戸を示す横断面図である。
【図４】前記実施形態の折戸が開けられた状態を示す横断面図である。
【図５】前記実施形態の折戸の開閉状態を模式的に示す平面図である。
【図６】前記実施形態の要部を拡大して示す横断面図である。
【図７】前記実施形態の要部を示す分解斜視図である。
【符号の説明】
１…折戸、２０，２０Ａ，２０Ｂ…障子、３０…連結框、３１…係止片、３２…カバー、６０…継手部材であるヒンジ、８０…振れ止め部材、８１…部材本体、８２…固定部、８３…当接面、８５…係止部。
【図１】
0003820350.tif 000002
【図２】
0003820350.tif 000003
【図３】
0003820350.tif 000004
【図４】
0003820350.tif 000005
【図５】
0003820350.tif 000006
【図６】
0003820350.tif 000007
【図７】
0003820350.tif 000008